Podtech/llm-jp-corpus-v4-ja_patent huggingface dataset:
(57)【要約】【課題】複数の方向から名前を認識しやすくした名札を提供する。【解決手段】対称な多面体又は円柱体であって、表面におけるｎ個（ｎは２以上の整数）の周方向均等位置に同一の名前が彫刻されているものを備え、前記多面体又は円柱体が組み合わせて前記多面体又は円柱体となるｎ個の同一形状のセグメントからなり、各セグメントにおける前記表面の一部をなす面に前記名前が彫刻されており、前記彫刻が、前記名前を表す線Ｌ、前記表面の一部をなす面の周縁Ｃ、及び線Ｌと周縁Ｃとの接続部Ｊを除く他部を貫通させるものである。【選択図】図１
0003211809.tif 000002
【実用新案登録請求の範囲】
【請求項１】
対称な多面体又は円柱体であって、表面におけるｎ個（ｎは２以上の整数）の周方向均等位置に同一の名前が彫刻されているものを備えることを特徴とする名札。
【請求項２】
前記多面体又は円柱体が組み合わせて前記多面体又は円柱体となるｎ個の同一形状のセグメントからなり、各セグメントにおける前記表面の一部をなす面に前記名前が彫刻されている、請求項１に記載の名札。
【請求項３】
前記彫刻が、前記名前を表す線Ｌ、前記表面の一部をなす面の周縁Ｃ、及び線Ｌと周縁Ｃとの接続部Ｊを除く他部を貫通させるものである、請求項２に記載の名札。
【考案の詳細な説明】
【技術分野】
【０００１】
この考案は、複数方向からの視認性に優れた名札に関する。
【背景技術】
【０００２】
従来の名札は、板状の樹脂や木材の表面に名前が筆記具にて書かれたり、彫刻機にて彫られたりしたものであった。
【考案の概要】
【考案が解決しようとする課題】
【０００３】
しかし、いずれにしても平面上の名前が表示されているので、その平面を正面とする方向から眺めなければ、書かれた名前を認識しにくい。それどころか、裏返ってしまえば名前が見えず、名札として機能しない。
それ故、この考案の課題は、複数の方向から名前を認識しやすくした名札を提供することにある。
【課題を解決するための手段】
【０００４】
その課題を解決するために、この考案の名札は、
対称な多面体又は円柱体であって、表面におけるｎ個（ｎは２以上の整数）の周方向均等位置に同一の名前が彫刻されているものを備えることを特徴とする。対称な多面体とは、正三角柱、正四角柱、正六角柱、立方体などをいう。円柱体には楕円柱体も含まれる。
この考案の名札によれば、周方向均等位置に同一の名前が彫刻されているので、ｎ＝２であれば表裏同一となり、裏返っても名前が見えるし、ｎが３以上であれば常時側面からでも名前を認識することができる。また、彫刻で書かれているので、ｎが小さい数であって且つ名前部分とその他の部分とが同じ色であっても認識することができる。
【０００５】
この考案の名札の好ましい一つの構成は、前記多面体又は円柱体が組み合わせて前記多面体又は円柱体となるｎ個の同一形状のセグメントからなり、各セグメントにおける前記表面の一部をなす面に前記名前が彫刻されているものである。各セグメントに個別に名前を彫刻することができ、名札の製造が容易となるからである。
【０００６】
前記好ましい構成において、前記彫刻が、前記名前を表す線Ｌ、前記表面の一部をなす面の周縁Ｃ、及び線Ｌと周縁Ｃとの接続部Ｊを除く他部を貫通させるものであってよい。これにより他部を光が透過することができ、例えば夜間などにおいて向こう側に僅かの光源でもあれば名前を認識することができるからである。逆に、前記彫刻が、前記名前を表す線Ｌを貫通させるものであってよい。
【０００７】
更に、前記好ましい構成において、対称軸方向の一方の端面に前記全てのセグメントの一方の端面を覆う天板、他方の端面に前記全てのセグメントの一方の端面を覆う底板を備えるとよい。これによりセグメントの組み合わせの機械的強度を高めることができるからである。
【０００８】
この考案の名札は、更に、対称軸方向の一方の端面にストラップを固定する金具を備えていてもよい。
【考案の効果】
【０００９】
以上のように、この考案の名札は、複数の方向から名前を認識しやすいので、取り付けの角度等に神経を使わなくてもよく名札として有用であるうえ、デザイン性にも優れる。
【図面の簡単な説明】
【００１０】
【図１】実施形態の名札を示す斜視図である。
【図２】実施形態の名札の構成要素である１セグメントを示す斜視図である。
【図３】同セグメントを３つ組み合わせる直前の状態を示す斜視図である。
【図４】実施形態の名札の構成要素である天板を示す斜視図である。
【図５】前記セグメントを３つ組み合わせ、上端に天板、下端に底板を取り付けた状態を示す正面図である。
【図６】（ａ）及び（ｂ）のいずれも他の実施形態の名札の輪郭を示す斜視図である。
【考案を実施するための形態】
【００１１】
以下、この考案を実施形態に基づいて具体的に説明する。
実施形態の名札１は、図１に示すように木製で正三角柱の本体２を備え、上端面と下端面を除く３面に同じ書体のカタカナで「ヤノ」という名前が彫刻され、上端面にストラップ用金具３が取り付けられているものである。
【００１２】
前記本体２は、図２に示すセグメント４を３つ備える。セグメント４は、正三角柱を軸方向に３等割し、背面を面取りすることにより形成され、平面視等脚台形の輪郭を有している。そして、前記彫刻は、正面側より前記名前「ヤノ」を表す線Ｌ、正面側の表面の周縁Ｃ、及び線Ｌと周縁Ｃとの接続部Ｊを除く他部を貫通させるように行われている。そして、３つのセグメント４を図３に示すように側面同士で貼り合わせ、次いで図４に示す天板及び底板をそれぞれ上端面及び下端面に貼り合わせる。天板及び底板は本体２と同質で互いに同じ大きさの平面視正三角形をなし、貼り合わせる前に貼り合わせ面と反対側の面の稜線を面取りしておく。得られた中間体（図５）に金具３を取り付けて完成する。金具３には紐を通してぶら下げるようにすることができる。
【００１３】
この名札１によれば、周方向３つの側面全てに同一の名前が彫刻されているので、裏返っても名前が見えるし、側面からでも常時名前を認識することができる。また、彫刻で書かれているので、名前部分とその他の部分とが同じ色であっても認識することができる。
【００１４】
また、周縁Ｃ、及び線Ｌと周縁Ｃとの接続部Ｊを除く他部が貫通していることから、他部を光が透過することができ、例えば夜間などにおいて向こう側に僅かの光源でもあれば名前を認識することができ、視認性に優れる。
【００１５】
名札の輪郭としては、図６（ａ）に示すように円柱を二等割りして表裏に名前が見えるようにしてもよいし、図６（ｂ）に示すように正五角柱を五等割して５つの側面に名前が見えるようにしてもよく、種々の多面体形状であってよい。また、前記彫刻は、前記名前を表す線Ｌを貫通させるものであってよい。天板及び底板は、いずれか一方だけであってもよい。本体２、天板及び底板の材質は、樹脂や金属であってもよい。
【符号の説明】
【００１６】
１  名札
２  本体
３  金具
４  セグメント
【図１】
0003211809.tif 000003
【図２】
0003211809.tif 000004
【図３】
0003211809.tif 000005
【図４】
0003211809.tif 000006
【図５】
0003211809.tif 000007
【図６】
0003211809.tif 000008
(57)【要約】      （修正有）【課題】化粧品特有の繊細で高貴な印象を十分に表現させ、消費者の購買意欲を刺激する液状化粧品用ボトルを提供する。【解決手段】化粧品用ボトルは、内部には化粧品２１の充填に使用される収納空間が設けられ、ボトルには透明材質が採用されるボトル本体２０と、ボトル本体２０の上部に設置され、ボトル本体２０内の化粧品２１の汲み取りに用いられる液体出力ユニット３０と、ボトル本体２０の底部に堆積するように納置される複数のクリスタル部材４０とを備える。【選択図】図３
0003211011.tif 000002
【実用新案登録請求の範囲】
【請求項１】
内部には適量の液状化粧品を充填させるために用いられる収納空間が設けられ、ボトルは透明材質で製造され、液状化粧品は透明である所定の形状のボトル本体と、
ボトル本体の所定の位置に設置され、ボトル本体内部の化粧品の汲み取りに用いられる液体出力ユニットと、
ボトル本体の底部に堆積するように納置される所定の数量のクリスタル部材とを備えることを特徴とする液状化粧品用ボトル。
【請求項２】
内部には適量の液状化粧品を充填させるために用いられる収納空間が設けられ、ボトルは透明材質で製造され、液状化粧品は半透明である所定の形状のボトル本体と、
ボトル本体の所定の位置に設置され、ボトル本体内部の化粧品の汲み取りに用いられる液体出力ユニットと、
ボトル本体の底部に堆積するように納置される所定の数量のクリスタル部材とを備えることを特徴とする液状化粧品用ボトル。
【請求項３】
前記化粧品として、香水、化粧水、エッセンシャルオイル、またはシャンプーの内の１つから選択されることを特徴とする、請求項１または２に記載の液状化粧品用ボトル。
【考案の詳細な説明】
【技術分野】
【０００１】
本考案は、ボトルに関し、より詳しくは、改良された液状化粧品用ボトルに関する。
【背景技術】
【０００２】
本考案は液状化粧品用ボトルに改良を加える。
【０００３】
図１には、香水や化粧水等の液状化粧品１１がボトル本体１２の内部に充填される状態を図示する。
【考案の概要】
【考案が解決しようとする課題】
【０００４】
しかしながら、このような従来の製品の構造は長年特段の変化はなく、単調で、日々新しいものを求める消費者の購買意欲を喚起しなかった。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案は、液状化粧品用ボトルの改良を提供することを目的とする。
【課題を解決するための手段】
【０００７】
上述した課題を解決し、目的を達成するために、本考案に係る液状化粧品用ボトルの改良は、
内部には適量の液状化粧品を充填させるために用いられる収納空間が設けられ、ボトルは透明材質で製造され、液状化粧品は透明である所定の形状のボトル本体と、
ボトル本体の所定の位置に設置され、ボトル本体内部の化粧品の汲み取りに用いられる液体出力ユニットと、
ボトル本体の底部に堆積するように納置される所定の数量のクリスタル部材とを備えることを特徴とする。
【考案の効果】
【０００８】
本考案によれば、単調でありきたりな化粧品から脱却させ、化粧品特有の繊細で高貴な印象を十分に表現させ、消費者の購買意欲を刺激する。
【図面の簡単な説明】
【０００９】
【図１】従来の化粧品用ボトルを示す外観斜視図である。
【図２】本考案の化粧品用ボトルを示す外観斜視図である。
【図３】図２に示す正面図である。
【図４】本考案の一実施形態の化粧品用ボトルを示す使用状態図である。
【図５】本考案の他の実施形態の化粧品用ボトルを示す外観斜視図である。
【考案を実施するための形態】
【００１０】
以下、図面を参照して本考案に係る化粧品用ボトルの改良の実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１１】
以下、本考案の実施形態について、図２乃至図３を参照しながら説明する。本考案の化粧品用ボトルは、以下の部材を備える。
内部には適量の液状化粧品２１を充填させるために用いられる収納空間が設けられ、ボトルは透明材質で製造され、液状化粧品２１は透明である所定の形状のボトル本体２０。
ボトル本体２０の上部に設置され、ボトル本体２０内部の化粧品２１の汲み取りに用いられ、且つ外界に出力させ、使用者に使用させるための液体出力ユニット３０。
ボトル本体２０底部に堆積するように納置される所定の数量のクリスタル部材４０。
【００１２】
これら前記クリスタル部材として、クリスタルダイヤモンド、クリスタルラインストーン、ラインストーン、クリスタルガラスの内の１つから選択される。
【００１３】
なお、前記化粧品２１として、香水、化粧水、エッセンシャルオイル、またはシャンプーの内の１つから選択される。
【００１４】
ある実施形態において、前記液状化粧品２１は半透明を呈する。すなわち、前記液状化粧品は淡色系の製品であり、所定の透明度を有する。
【００１５】
本考案のボトル本体２０が傾斜状態である場合、これら前記クリスタル部材４０がゆっくりと下に移動し、最後には斜面状態を呈し、鮮やかに変化する（図４参照）。
【００１６】
これら前記クリスタル部材４０は特殊な視覚効果を呈し、化粧品特有の繊細で高貴な質感を表現し、購買意欲を掻き立て、人々の興味を惹いて、製品の競争力を高める。
【００１７】
図５は本考案の他の実施形態の化粧品用ボトルを示す外観斜視図である。ボトル本体２０の形状構造は上述の実施形態のボトル本体とやや差異がある。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１１  化粧品
１２  ボトル本体
２０  ボトル本体
２１  化粧品
３０  液体出力ユニット
４０  クリスタル部材
【図１】
0003211011.tif 000003
【図２】
0003211011.tif 000004
【図３】
0003211011.tif 000005
【図４】
0003211011.tif 000006
【図５】
0003211011.tif 000007
(57)【要約】      （修正有）【課題】鳥からの飛沫をガードし、人の健康にほとんど害無く、かわいい鳥たちを綺麗に飼育・清掃でき、飼育しやすくするケースシートを提供する。【解決手段】十字形状の０．２ｍｍ厚のプラスチック素材の軽量シート１を鳥かごゲージに取り付け、ケース状に形成することで、日常飛沫・掃除・鑑賞対策が行えるケースシートである。これにより、飼育飛沫がしっかりと防止され、気にならなくなり、飼育気分が良い。鳥を見る目が良くなる。また、鳥かごゲージ自体（上部分）にある取っ手が使えるよう取出し口を設けたので、掃除も簡単に短時間で綺麗に行える。透明フィルム４で鳥が見える窓も作ったので、かわいい鳥の様子の鑑賞も可能である。【選択図】図１
0003211033.tif 000002
【実用新案登録請求の範囲】
【請求項１】
０．２ｍｍ厚のプラスチック素材の軽量のシートを鳥かごゲージの全体に取り付け、ケース状にし、日常飛沫・掃除・鑑賞対策をできることを特徴とした物品。
【考案の詳細な説明】
【考案の詳細な説明】
【技術分野】
【０００１】  本考案は、０．２ｍｍ厚プラスチック素材のシートを鳥かごゲージ全体に軽く装着させるものである。塞いでいる状態ではなく、空気は通る循環を無くしてはいない。４箇所にマジックテープ止めを設け側面シートがずれ動かないようにし、シートを取り外す時は取り外しし易いように、上部横に２ヶ所の取っ手を設けた。鑑賞の面では、かごゲージの中の鳥が見えるよう、窓を正面に設け、掃除の面では、かごゲージ自体の上部にある取っ手の取出し口を設けて、移動もしやすくした。使わない状態の時は、コンパクトに折りたため、収納もしやすい。飛沫対策・掃除対策・鑑賞対策に関するもので、鳥飼育をより飼育しやすくするためのものである。【０００２】鳥をかごゲージで飼育する際は、鳥の飛沫（ゴミ・フン等）を気にかけることが、よくある。
【考案の開示】
【考案の解決しようとする課題】
【０００３】鳥かごゲージのみの飼育の際、飛沫（ゴミ・フン等）が外に飛ぶため、人の心身の健康上好ましくない。
【課題を解決するための手段】
【０００４】本考案は、鳥かごゲージに０．２ｍｍ厚プラスチック素材の軽量シートを全体に被せ、取り付けるものである。また、側面にマジックテープ止めを付け、ずれを防止。前面のシートを開閉式にし、餌や水の取替えの際はマジックテープを外し行ない、元に戻す。このケースシートを鳥かごゲージに取り付けることによって、問題が解決する。
【考案の効果】
【０００５】上記のケースシートを鳥かごゲージに着けることで、飛沫（ゴミ・フン等）の飛散防止、人の健康にほとんど害なく、綺麗な、鳥飼育が出来る。かわいい鳥たちを綺麗に飼育・清掃でき、飼育しやすくする物品。
（主に、家の鳥飼育用）
【図面の簡単な説明】
【図１】鳥かごゲージに取り付けた状態の本考案の正面図
【図２】鳥かごゲージに取り付けた状態の本考案の側面図
【図３】鳥かごゲージに取り付けた状態の本考案の上の面を表した図
【図４】鳥かごゲージに取り付けた状態の本考案の後ろの面の図
【図５】本考案を取り外し、開いた状態の図
【符号の説明】
【０００６】１  ０．２ｍｍ厚のプラスチック素材のシート
２  デザインアクセサリーデコレーション
３  マジックテープ
４  透明フィルム
【図１】
0003211033.tif 000003
【図２】
0003211033.tif 000004
【図３】
0003211033.tif 000005
【図４】
0003211033.tif 000006
【図５】
0003211033.tif 000007
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
十字形状の０．２ｍｍ厚のプラスチック素材の軽量シートを鳥かごゲージに取り付け、ケース状に形成することで、日常飛沫・掃除・鑑賞対策が行えるケースシート。
(57)【要約】      （修正有）【課題】地面に安定に固定されるとともに、打たれたときに短い距離で着地する、安定性を有するゴルフティーを提供する。【解決手段】ティー１は、地面に突き刺すための尖った円錐状の端２と、ボールを保持するためのヘッド又はカップ３との間の中間領域の母線の方向に、或る種のウイングとして対応するリブ５を形成するための複数の長手方向溝４を有する。この構造は、ティーをより安定した方法で地面に固定することを可能にし、また打たれたときに、従来のティーよりもはるかに短い距離において着地し、ティーを回収することを容易にする。【選択図】図１
0003211069.tif 000002
【実用新案登録請求の範囲】
【請求項１】
円錐状の下端（２）、及び、打たれるボールを保持するようにカップ形状のヘッド（３）が載せられる上端を有する細長い円筒形の本体を含むゴルフティーであって、
前記本体の中間領域は、前記本体の前記中間領域の母線の方向に複数のウイング状のリブ（５）を形成する複数の長手方向溝（４）を有することを特徴とするゴルフティー。
【請求項２】
複数の長手方向溝（４）は、前記ウイング状のリブ（５）を形成し、円周方向に等間隔に分配されていることを特徴とする、請求項１に記載のゴルフティー。
【考案の詳細な説明】
【技術分野】
【０００１】
本考案は、ゴルフティー、すなわち、ゴルフクラブによって打たれる場合に、ゴルフティーにかなりの安定性を提供する幾つかの長手方向リブを有するという特性を有する、ファーストストロークを行うときにゴルフボールを支持するスタンドに関する。
【背景技術】
【０００２】
ティーは、プラスチック、樹脂、金属、又は、任意の他の適切な材料から作ることができる。
【０００３】
ゴルフプレーヤーは、ティーと呼ばれる装置を使用し、ティーは、地面に押し込まれ、ボールがティーに配置されると、地表面の上に立ち、これによってプレーヤーがクリーンに打つことを可能にするように、それぞれのホールに関してプレーの始めにボールの安定した載置点を画定する。
【０００４】
しかし、ティーは通常、ティーを地面に突き刺すための尖った下端、及び、ボールを安定して保つための上部の何らかの種類のヘッド又はカップを有する回転体からなり、それによって、回転体は、完全に滑らかな外面を有し、ゴルフクラブで打つときに、ティーの上部が打たれる場合に、ティーは遠く離れて飛び、見つけるのが難しくなる。
【考案の概要】
【考案が解決しようとする課題】
【０００５】
すなわち、従来のティーは、打たれたときに安定性を欠く。
【０００６】
推奨されているティーは、単純であるがかなり効果的な解決策によって、上述した問題を成功裏に解決する。
【課題を解決するための手段】
【０００７】
正確には、このティーの特性は、側面、より具体的には、先端と、ボールが配置されるヘッド又はカップとの間の領域が、母線の方向に幾つかの長手方向リブを有することである。それらの数は、変えてもよく、リブは、ティーの本体の側面にある或る種のウイングとして対応するリブを定める幾つかの長手方向溝を有するこの中央領域の結果として形成される。
【０００８】
このように、ティーは、下側端において従来からの円錐状の形態を維持し、これは、ティーが地面に突き刺さること、及び、カップ形状の上側ヘッドがボールを保持することを可能にし、一方で、ティーの中央体は、ボールを打つときにティーを地面に固定することを可能にする。
【０００９】
ティーに長手方向溝を作るときに製造されるリブ又はウイングの数は、２つ、３つ、４つ又は任意の他の数であるものとすることができ、この理由は、ボールを打つとき、及び、ティーがゴルフクラブによって打たれる場合の双方に、本当に重要なことが、装置を地面に固定し、装置をより安定させることであるためである。
【００１０】
したがって、この構造に起因して、ティーが打たれる場合に、ティーは、従来のティーと比較してより短い距離に着地し、これは回収をより容易にする。
【００１１】
最後に、ティーの構造が単純で製造が容易であり、要するに、その製造コスト及び販売価格が低いことに言及しておかなければならない。
【００１２】
以下の記載を補足するとともに、本考案の特徴のより良い理解を助けるために、実際の実施の好ましい例として、複数の図面が、説明の一体部分として本明細書に添付されている。それらの例は、専ら例示目的で与えられており、限定的であることは意図されない。
【図面の簡単な説明】
【００１３】
【図１】本考案に従って作られたゴルフティーの正面図である。
【図２】上述した装置の上面図である。
【図３】上述した装置の底面図である。
【図４】リブの高さにおけるティーの断面図である。
【図５】上述した装置の斜視図である。
【考案を実施するための形態】
【００１４】
上述した図によると、概して（１）として言及されるティーが、細長い、プラスチック、木、金属、樹脂、又は、別の適切な材料から作られる本体からなり、ティーを地面に突き刺すための円錐状の下端（２）、及び、ボールを安定させるためにカップとして形成されるヘッド（３）を有する上端を有することが分かる。
【００１５】
しかし、これらの従来の特徴に加えて、このティーは特別な特徴を有し、これは、本体の中間領域が、ティーの本体の中間領域にわたって円周方向に等間隔に分配される或る種の長手方向ウイングとしてリブ（５）を形成する母線の方向に複数の溝（４）を有するためである。
【００１６】
このように、リブ又はウイング（５）に起因して、ティーは、はるかにより安定した方法で競技場に押し込まれ、これは、ティーがより短い距離に放たれ、回収するのがより容易であるため、ボールの安定性、及び、ティーが打たれた場合のティーの可能性のある発射の双方にとって良好である。
【符号の説明】
【００１７】
１  ティー
２  下端
３  ヘッド
４  長手方向溝
５  リブ
【図１】
0003211069.tif 000003
【図２】
0003211069.tif 000004
【図３】
0003211069.tif 000005
【図４】
0003211069.tif 000006
【図５】
0003211069.tif 000007
(57)【要約】      （修正有）【課題】防水性と換気性を兼ね備えたレインウェアを提供する。【解決手段】雨天時に使用するレインウェア１であって、防水性を有する生地または水を通さない樹脂製シートから成るレインウェア１に通気孔を有する換気部２を備え、通気孔の上の生地または樹脂製シートを下向きに折り返すことで通気孔から雨が衣服内に浸入することを防ぎながら、通気孔から衣服内の熱気を排出する構造を作り、防水性と通気性を両立することを特徴とする。【選択図】図１
0003211046.tif 000002
【実用新案登録請求の範囲】
【請求項１】
防水性を有する生地または水を通さない樹脂製シートから成るレインウェアであって、通気孔を有する換気部を備えたことを特徴とするレインウェア。
【請求項２】
前記換気部は、孔の開いた複数個の通気孔と、通気孔の上部の生地または樹脂製シートを下向きに折り返した折り返し部を備え、通気孔を覆うことで、雨が入らないようにしたことを特徴とした請求項１記載のレインウェア。
【請求項３】
通気孔は、生地に穴を開けるか、または鳩目で構成したことを特徴とする請求項１又２に記載のレインウェア。
【請求項４】
通気孔の下に雨返しのための折り返し部を備え、正面からの雨の浸入を防ぐ請求項１から３のいずれか一つに記載のレインウェア。
【考案の詳細な説明】
【技術分野】
【０００１】  本考案は防水性と換気性を兼ね備えたレインウェアに関する。
【背景技術】
【０００２】  従来のレインウェアは、生地に水を通さない樹脂加工を施した防水性を有する生地または水を通さない樹脂製シートから成り、着用時の運動による発汗で衣服内に熱気がこもり蒸れることがある。
【考案の概要】
【考案が解決しようとする課題】
【０００３】  従来のレインウェアは、防水性を有する生地または水を通さない樹脂製シートから成り、着用時の運動による発汗で衣服内に熱気がこもり蒸れるという課題があった。
【課題を解決するための手段】
【０００４】  本考案のレインウェアは、防水性を有する生地または水を通さない樹脂製シートから成るレインウェアに通気孔となる穴を開け、通気孔の上の生地または樹脂製シートを下向きに折り返すことで通気孔から雨が衣服内に浸入することを防ぎながら、通気孔から衣服内の熱気を排出する構造を作り、防水性と通気性を両立することを特徴とする。【０００５】  前記の通気孔と生地または樹脂製シートの折り返しから成る構造は、レインウェアと呼ばれるレインコート、レインジャケット、レインパンツ、レインポンチョ、レインハット等の衣服に防水性と通気性を提供することを特徴とする。【０００６】  前記の通気孔と生地の折り返しから成る構造は、レインウェアの前面、背面、側面に取り付けることでレインウェアに防水性と通気性を提供することを特徴とする。【０００７】  通気孔の下に雨返しのための折り返し部を備え、正面からの雨の浸入を防ぐレインウェアである。
【考案の効果】
【０００８】  本考案のレインウェアは、通気孔をレインウェアの前面、背面または側面となるパーツに設け通気孔の上部の生地または樹脂製シートを下向きに折り返し、上部及び正面からの雨の浸入を防ぐ防水性と通気孔による換気性を両立できる。
【図面の簡単な説明】
【０００９】
【図１】本考案のレインウェアの構成の一例  （ａ）正面図、（ｂ）背面図
【図２】本考案の折り返し前の構成図  （ａ）斜視図、（ｂ）Ａ−Ａ断面図
【図３】本考案の折り返し後の構成図  （ａ）斜視図、（ｂ）Ｂ−Ｂ断面図
【図４】本考案の通気孔の下に雨返しを追加した構成図  （ａ）斜視図、（ｂ）Ｃ−Ｃ断面図
【考案を実施するための形態】
【００１０】  防水性を有する生地または水を通さない樹脂製シートから成るレインウェアであって、通気孔を有する換気部を備えたことを特徴とするレインウェアである。
図１は本考案のレインウェア（スーツ）の構成の一例、図２は本考案の折り返し前の構成図、図３は本考案の折り返し後の構成図、図４は本考案の通気孔の下に雨返しを追加した構成図である。
【００１１】  図１に示すように、防水性を有する生地または水を通さない樹脂製シートから成るレインウェア本体１に、通気孔を備えた換気部２を有する。換気部２をレインウェアの前面、背面または側面となるパーツに取り付ける。
換気部２は、一直線状又は複数線状に複数の通気孔３を配置し、通気孔の上部の生地または樹脂製シートを下向きに折り返した折り返し部４を備え、雨が通気孔３から入らないようにする。
図２は折り返し部４の構成を示す。（ａ）は斜視図、（ｂ）はＡ−Ａ断面図である。
図２と図３に示すように、一枚の防水性を有する生地または水を通さない樹脂製シートに通気のために通気孔３を設ける。通気孔の上部に生地または樹脂製シートの折り返し部４を設け、通気孔３を覆うことにより、雨の浸入を防ぐ。
折り返し部４は、縫い付けて裏から目止めテープを貼る以外に、接着または溶着で貼り付けても良い。
【００１２】  図４は本考案の通気孔の下に雨返しを追加した構成図である。雨返し５は、通気孔の下部の生地または樹脂製シートを下向きに折り返すことで下側からの雨の浸入を防ぐ。
雨返し５は、縫い付けて裏から目止めテープを貼る以外に、接着または溶着で貼り付けても良い。
【産業上の利用可能性】
【００１３】  防水性のある生地または樹脂シートを使用した通気性のあるレインウェアを提供する。
【符号の説明】
【００１４】    １    レインウェア
２    換気部
３    通気孔
４    折り返し部
５    雨返し
【図１】
0003211046.tif 000003
【図２】
0003211046.tif 000004
【図３】
0003211046.tif 000005
【図４】
0003211046.tif 000006
(57)【要約】      （修正有）【課題】レインコート、ポンチョ、レインスーツなどのツバ付きフードの内側に、頭部に固定する為のゴムを設けることにより、フードが脱げたり、振り返った際の死角を作り難くし、事故防止に役立つツバ付き安全雨着を提供する。【解決手段】レインコート、ポンチョ、レインスーツなどのフード部分１に、柔らかく厚めのツバ２を付け、頭に固定させる為のゴム３をフード内側に設ける。フード部分が頭部に容易に固定でき、且つ風でフードが脱げ難く、振り返る際もフードが死角を作り難くなる。【選択図】図２
0003211047.tif 000002
【実用新案登録請求の範囲】
【請求項１】
レインコート、ポンチョ、レインスーツなどのツバ付きフードを頭に固定させる為のゴムバンドをフード内側に設けるとともに、ツバ部分に軽くてやや厚みがあり柔軟性に富んだビニール素材の芯を入れることで、コンパクトに折り畳めるうえ、皺になり難く、形状を保ち、向かい風でもフードが脱げにくく、左右後方を目視にて確認する際、死角を作り難い構造を持つことを特徴とするツバ付き安全雨着。
【考案の詳細な説明】
【技術分野】
【０００１】  本考案は、レインコート、ポンチョ、レインスーツなどのフード部分に柔らかく厚めのツバ、及びフードを頭に固定させる為のゴムをフード内側に設けた雨具に関するものである。
【背景技術】
【０００２】  従来の雨着には頭部を覆うためのフード、透明のツバ付きフード、単体のツバ付き帽子などがついたものがある。
【考案の概要】
【考案が解決しようとする課題】
【０００３】  従来の雨着のフードは頭部に固定されず風で脱げたり、左右後方を確認する際に死角を作ってしまい、特に自転車で走行する際、大変危険である。また単体の帽子がついたものもあるが、帽子と雨着の間から雨が侵入することがある。
【課題を解決するための手段】
【０００４】  本考案は、ツバ部分の両端から頭の周囲、中央から後頭部へかけて、幅広の織ゴムで繋いだものをフード内側に設け、フード部分を頭部に容易に固定できるようにし、ツバ部分は厚めにして風の影響を受け難くすることにより上記課題を解決するものである。
【考案の効果】
【０００５】  上記の様に、本考案のツバ付き安全雨着は、フード内側に設けたゴムにより左右後方を目視するときもフード部分で死角を作り難く、事故防止に役立つ。またツバ部分は、軽くてやや厚みがあり柔軟性に富んだビニール素材の芯を撥水ナイロン製の布で包んでいるので、コンパクトに折り畳めるうえ皺になり難く形状を保つ。
【図面の簡単な説明】
【０００６】
【図１】本考案に係るツバ付き安全雨着の正面図である。
【図２】本考案に係るツバ付き安全雨着の側面図である。
【考案を実施するための形態】
【０００７】  フードを被る際、内側にあるゴム部分を頭の周囲と頭頂部に装着することによりフード部分が頭に密着し、振り返った際にフードが死角になり難く、安全に歩行や自転車走行できる。
【符号の説明】
【０００８】１  フード
２  ツバ
３  フード内部に取り付けたゴム
【図１】
0003211047.tif 000003
【図２】
0003211047.tif 000004
(57)【要約】      （修正有）【課題】農業用ハウスに関し、建築コストの低減を図るとともに、十分な強度と温室効果を得ることができる両屋根式ビニールハウスを提供する。【解決手段】両屋根式ビニールハウス本体１は、建築木材の貫材を主な材料として組み立てた両屋根形式のトラス構造であって、所定の、脚部材２と、屋根部材と、連結部材と、補強部材４と、ビニールシート材と、断熱シート材とを備え、脚部材と、屋根部材と、連結部材と、補強部材とを結合して両屋根式ビニールハウス本体の骨組を形成し、屋根面全体に中空ポリカーボネート板を被せて塞ぎ、側面全体をビニールシート材で被覆するとともに、出入り口８及び通風口９を設け、さらに室内の天井及び壁面に断熱シート材を張り巡らして、これらを一体に形成した。【選択図】図３
0003211045.tif 000002
【実用新案登録請求の範囲】
【請求項１】
両屋根式ビニールハウス本体は、建築木材の貫材を主な材料として組み立てた両屋根形式のトラス構造であって、所定の、脚部材と、屋根部材と、連結部材と、補強部材と、ビニールシート材と、断熱シート材とを備え、該脚部材と、該屋根部材と、該連結部材と、該補強部材とを結合して両屋根式ビニールハウス本体の骨組を形成し、屋根面全体に該中空ポリカーボネート板を被せて塞ぎ、側面全体を該ビニールシート材で被覆するとともに、出入り口及び通風口を設け、さらに室内の天井及び壁面に該断熱シート材を張り巡らして、これらを一体に成したことを特徴とする両屋根式ビニールハウス。
【考案の詳細な説明】
【技術分野】
【０００１】  本考案は、農業用ハウスに関し、詳しくは両屋根式ビニールハウスに関する。
【背景技術】
【０００２】  従来より、農業用ハウスに於いては、細い鉄製パイプ材を組み付けて略半円形の細長い蒲鉾状にパイプフレームを形成して、該パイプフレームの外周をビニールシートで被覆する構造のビニールハウスが広く一般に普及している。【０００３】  しかしながら、上述の構造のビニールハウスにおいては、強風や積雪による被害も多く、作業効率や温室効果に影響を及ぼすこともあった。
【考案の概要】
【考案が解決しようとする課題】
【０００４】  本考案は、農業用ハウスに関し、建築コストの低減を図るとともに、十分な強度と温室効果を得ることができる両屋根式ビニールハウスを提供しようとするものである。
【課題を解決するための手段】
【０００５】  両屋根式ビニールハウス本体１は、建築木材の貫材を主な材料として組み立てた両屋根形式のトラス構造であって、所定の、脚部材２と、屋根部材３と、連結部材と、補強部材４と、ビニールシート材５と、断熱シート材６とを備え、該脚部材２と、該屋根部材３と、該連結部材と、該補強部材４とを結合して両屋根式ビニールハウス本体１の骨組を形成し、屋根面全体に該中空ポリカーボネート板７を被せて塞ぎ、側面全体を該ビニールシート材５で被覆するとともに、出入り口８及び通風口９を設け、さらに室内の天井及び壁面に該断熱シート材６を張り巡らして、これらを一体に成したことを特徴とした。
【考案の効果】
【０００６】  本考案によれば、両屋根式ビニールハウスの構造がいたって単純であるにもかかわらず、比較的、強度に優れることから、例えば、該両屋根式ビニールハウスの一棟を単位として複数連棟とすることで、強度を保ちながらビニールハウスの奥行きを増すことが可能である。【０００７】また、両屋根式ビニールハウスの屋根全面に中空ポリカーボネート板を被せて塞いだことで積雪や強風に対する強度が期待でき、さらには屋根に積もった雪が滑り落ちやすくなる効果が期待できる。【０００８】また、該両屋根式ビニールハウス内側に断熱シート材を張り巡らしたことで、外気を二重に遮断し、温室効果の向上が期待できる。【０００９】また、該両屋根式ビニールハウス全体の骨組みを、建築木材の貫材を主な材料とすることで、材料単価を抑制することが可能である。【００１０】また、骨組みを構成する材料製造の原料に間伐材を利用することで更なる建築費用の低減が期待できる。
【図面の簡単な説明】
【００１１】
【図１】  本考案に於ける両屋根式ビニールハウスの両屋根形式のトラス構造の説明図である。
【図２】  本考案に於ける両屋根式ビニールハウスの略骨組みの側面図である。
【図３】  本考案に於ける両屋根式ビニールハウスの略骨組みの正面図である。
【図４】  本考案に於ける両屋根式ビニールハウスの一部部材の位置関係を簡略に表した説明図である。
【考案を実施するための形態】
【００１２】  以下、本考案の実施の形態について、図面を参照して説明する。
図１・図２・図３・図４に示すように、両屋根式ビニールハウス本体１は、建築木材の貫材を主な材料として組み立てた両屋根形式のトラス構造であって、所定の、脚部材２と、屋根部材３と、連結部材と、補強部材４と、ビニールシート材５と、断熱シート材６とを備え、該脚部材２と、該屋根部材３と、該連結部材と、該補強部材４とを結合して両屋根式ビニールハウス本体１の骨組を形成し、屋根面全体に該中空ポリカーボネート板７を被せて塞ぎ、側面全体を該ビニールシート材５で被覆するとともに、出入り口８及び通風口９を設け、さらに室内の天井及び壁面に該断熱シート材６を張り巡らして、これらを一体に成したことを特徴とした。
【符号の説明】
【００１３】  １    両屋根式ビニールハウス本体
２    脚部材
３    屋根部材
４    補強部材
５    ビニールシート材
６    断熱シート材
７    中空ポリカーボネート板
８    出入り口
９    通風口
【図１】
0003211045.tif 000003
【図２】
0003211045.tif 000004
【図３】
0003211045.tif 000005
【図４】
0003211045.tif 000006
(57)【要約】      （修正有）【課題】電磁力によって、部材を固定するテーブルおよび吊り下げ板を提供する。【解決手段】鉄板を備えるテーブルであって、鉄板の裏に電磁石を取り付け、電磁石の吸引能力を使い、部材を固定する。【選択図】図１
0003211024.tif 000002
【実用新案登録請求の範囲】
【請求項１】
鉄板の裏に電磁石を、取り付け、電磁石の吸引能力を使い、部材を固定する物である。
【請求項２】
吊り下げ型板のばあいでは、請求１と同じで、部材を固定し、さらに、溶接のひずみの緩和など自由に使い、こなせる。
【考案の詳細な説明】
【技術分野】
【０００１】１００Ｖ又２００Ｖの電流を用いて、電磁石の電流を調整して、金属製品を固定し、作業等に安全性を、保つ物である。
【背景技術】
【０００２】従来の加工の作業では、バイス、マンリキ等に挟み固定するが、安全性、時間、手間が、かかりすぎる。
以上のような、欠点をなくすために、なされたものである。
【先行技術文献】
【特許文献１】
【０００３】電磁石により磁界を発生させて、上部（テーブル部）をぬけて、加工品に磁力で接着させ加工品の固定を行う物である。
【考案の概要】
【考案が解決しようとする課題】
【０００４】電磁力によっての加工なので、安全性にすぐれ、人間によっての後作動が少なくなりさらに、加工時間の短縮がみこめる。
【課題を解決するための手段】
【０００５】１００Ｖ、又、２００Ｖ、の電流により、磁界を発生させ、加工品を、安全に、素早く、固定させ、アークなどの溶接加工などの、ひずみが、軽減できる。
【考案の効果】
【０００６】作業の安全性、それに、かかわる、時間の短縮、後作動が少なくなる。
および
溶接接合などで、おこる。
ひずみ、を緩和できる、物である。
【図面の簡単な説明】
【０００７】
【図１】上部  作業台型  正面図  下部  マグネットメーター  正面図
【図２】上部  吊下形  正面図  下部  吊下形  側面図
【考案を実施するための形能】
【０００８】以下本発明を実施するための形能について、説明する
コードＡを、コンセントに繋ぎ、電磁、マグネット、テーブルの電圧調整板の、メモリでガウス、の上、下、を調整し、テーブルの上に、加工品をおく。
安全のため、自、固定しているのを、確認し、作業をする物で以下本発明は以下のような構造である。
これを、使用するときは、調整板のメモリをしっかり確認して、作業する、物である。
【図１】
0003211024.tif 000003
【図２】
0003211024.tif 000004
【手続補正書】
【提出日】平成29年3月25日(2017.3.25)
【手続補正２】
【補正対象書類名】実用新案登録請求の範囲
【補正対象項目名】全文
【補正方法】変更
【補正の内容】
【実用新案登録請求の範囲】
【請求項１】
鉄板を備えるテーブルであって、前記鉄板の裏に電磁石を取り付け、電磁石の吸引能力を使い、部材を固定することを特徴とするテーブル。
【請求項２】
吊り下げ板の裏に電磁石を取り付け、電磁石の吸引能力を使い、部材を固定し、さらに、溶接のひずみの緩和など自由に使いこなせることを特徴とする吊り下げ板。
(57)【要約】      （修正有）【課題】通常型座布団と防災座布団と椅子の座自体の強度によって可能な限りの頭部防護効果を得ることができる座布団と防災座布団の組み合わせを提供する。【解決手段】座布団と防災座布団の組み合わせであって、椅子の座面の上に座布団１を、座面の下にウレタンチップ等の緩衝材を包んだ防災座布団３を、それぞれ配置し、両座布団をそれぞれに取り付けられた紐で連結できることを特徴とする。【選択図】図３
0003211029.tif 000002
【実用新案登録請求の範囲】
【請求項１】
椅子の座の上に通常型座布団を下に防災座布団を配置して紐で連結できるようにした座布団。
【考案の詳細な説明】
【技術分野】
【０００１】本考案は椅子用の座布団に関する。
【背景技術】
【０００２】地震が勃発した場合、学校などでは椅子で頭部を保護するよう指示されている。東日本大震災での地震の際、パイプ椅子の下に身を隠したが、落下物で頭部を負傷した実例もあり、椅子や座布団のみで、あるいは両方併用でも頭部保護には限界があった。また通常は椅子につけてある座団を外して頭部を守るというものがあるが椅子自体の持つ強度を排除する必要はなかった。
【先行技術文献】
【０００３】
【特許文献１】特開２００６−２６３４１７
【考案の概要】
【考案が解決しようとする課題】
【０００４】椅子のみ、あるいは通常型座布団と併用して頭部防護手段とする方法は、防護能力に問題があった。【０００５】またチップウレタンなどの緩衝材と硬質板を組み合わせた防災座布団と称されるものも平常時には通常型座布団として、非常時には椅子から外して使用するとあるがその手間も無駄であった。
【課題を解決するための手段】
【０００６】椅子の座の上側に通常型の座布団、座の下側に厚みと強度のあるチップウレタンなどの緩衝材を包んだ座布団を設置して、上下の座布団を紐で結びつける。
【考案の効果】
【０００７】これにより平常時、緊急時を問わず椅子から座布団を外す手間も必要もなく、そのまま通常の座布団としてまた緊急時の防災座布団として使用できる。【０００８】また地震など勃発の際は強固な場所へ退避せよとの指針もあるが、更なる崩壊あるいは火災発生となると屋外退避となり、頭部を守る椅子一体型の当考案のような丈夫な防護器具が必要となる。【０００９】上下の座布団は連結紐を外せば２人分の座布団として使用できる。【００１０】一番早く確実な頭部防護方法である。【００１１】あらたに防災器具を購入する必要もなく防災費用を低くできるメリットがある。
【図面の簡単な説明】
【００１２】
【図１】上の通常型座布団の斜視図。
【００１３】
【図２】下の防災座布団の斜視図。
【００１４】
【図３】椅子に上下の座布団を取り付けた側面図。
【考案を実施するための形態】
【００１５】以下、本考案の実施の形態を図に基づいて説明する。
【実施例１】
【００１６】図３のように、椅子の座に上下の座布団を取り付ける。【００１７】地震など勃発して屋外退避となった場合、防災座布団を頭にのせ、椅子の脚を持って退避する。
【産業上の利用可能性】
【００１８】座布団を製造する産業で利用される。
【符号の説明】
【００１９】１  上の通常型座布団
２  紐
３  下の防災座布団
【図１】
0003211029.tif 000003
【図２】
0003211029.tif 000004
【図３】
0003211029.tif 000005
【手続補正書】
【提出日】平成29年3月30日(2017.3.30)
【手続補正１】
【補正対象書類名】実用新案登録請求の範囲
【補正対象項目名】全文
【補正方法】変更
【補正の内容】
【実用新案登録請求の範囲】
【請求項１】
座布団と防災座布団の組み合わせであって、椅子の座面の上に座布団１を、座面の下にウレタンチップ等の緩衝材を包んだ防災座布団３を、それぞれ配置し、両座布団をそれぞれに取り付けられた紐２で連結できることを特徴とする、座布団と防災座布団の組み合わせ。
(57)【要約】      （修正有）【課題】和室や床の間のない室内においても置き易く軽量でインテリア性に優れた簡易仏壇を提供する。【解決手段】底板１１、底中板（前台付）１２、裏板１３、前板１４、天板１５、外左板１６、外右板１７、扉押さえ１８、左扉１９、右扉２０、祭壇前板２１、祭壇２２、祭壇右板２３、祭壇左板２４、左扉つまみ２５、右扉つまみ２６の各種形状の構成部品から構成され、可動式である左扉１９、右扉２０以外の構成部品はすべて接合されて、構成される。軽量で十分な強度を有し工作性が良い強化ダンボールを構造材料として使用し、その表面に各種化粧紙等を接着して張り合わせ、装飾性を向上させ、それを複数の必要な構成部品の形にカット後、それらを接合して立体的な構造に組み上げ製作される。【選択図】図１
0003211030.tif 000002
【実用新案登録請求の範囲】
【請求項１】
工作性の良い強化ダンボールを構造材に使用して作成されたインテリア性に優れた軽量な簡易仏壇。
【請求項２】
重量が０．５ｋｇから３ｋｇの範囲の壁掛けが可能な請求項１記載の軽量な簡易仏壇。
【請求項３】
開閉扉に引き戸を使用した構造の請求１記載の軽量な簡易仏壇
【考案の詳細な説明】
【技術分野】
【０００１】  本考案は、工作性が良い強化ダンボールを構造材に使用して作られたインテリア性に優れた軽量な簡易仏壇に関するものである。
【背景技術】
【０００２】  従来から市販されている伝統的な仏壇は、構造材に木材を使用して組み立て、漆黒に仕上たり、金箔等で内装を施して製作された高価なものがほとんどである。また購入した場合は和室もしくは床の間等がないと置くことが困難なものが多い。近年は和室もしくは床の間がない住宅事情をかかえた人達が比較的購入しやすく配慮された小型で安価な簡易仏壇が市販されるようになっている。
【先行技術文献】
【０００３】
【特許文献１】実開平６−２４５
【特許文献１】実開平７−９１９１
【特許文献１】実用新案登録大３１１１５４９号
【考案の概要】
【考案が解決しようとする課題】
【０００４】  しかしながら、これらの簡易仏壇等は小型化、利便性向上、低価格化を主眼として製作されたものであり、必ずしも和室や床の間のない室内にどのように置くべきかや壁掛けが可能な軽量化が考慮された仏壇ではない等の課題がある。
【課題を解決するための手段】
【０００５】  本考案は、軽量で十分な強度を有し工作性が良い強化ダンボールを構造材料として使用、その表面に各種化粧紙等を接着して張り合わせ装飾性を向上させ、それを複数の必要な構成部品の形にカット後、それらを接合して立体的な構造に組み上げて製作するインテリア性に優れた極めて軽量な仏壇を提供することより、特別な場所を必要とせず、室内にインテリア感覚で任意に設置でき上記課題を解決するものである。
【考案の効果】
【０００６】  本考案にあっては、工作性が良い強化ダンボールを構造材料として使用することにより著しく軽量化かつ実用強度の確保に成功し、０．５Ｋｇから０．６Ｋｇの室内で壁掛けすることも可能な仏壇を製作することができた。また強化ダンボールに特殊な化粧紙等を張り合わせることにより、仏壇に必要とされる荘厳な任意の色、質感を達成することができ、インテリア性を重視して設計した仏壇を比較的安く、容易に製作することができる。
【図面の簡単な説明】
【０００７】
【図１】この考案の一実施形態を示す仏壇の分解斜視図
【図２】この考案の一実施形態を示す仏壇の外観斜視図
【図３】この考案の一実施形態を示す仏壇の外観正面図
【図４】この考案の一実施形態を示す構造材の切断断面図
【考案の実施するための形態】
【０００８】  この考案の一実施形態を図に基づいて説明する。図１は同実施形態の仏壇の分解斜視図である。底板１１、底中板（前台付）１２、裏板１３、前板１４、天板１５、外左板１６、外右板１７、扉押さえ１８、左扉１９、右扉２０、祭壇前板２１、祭壇２２、祭壇右板２３、祭壇左板２４、左扉つまみ２５、右扉つまみ２６の各種形状の構成部品から構成されている。可動式である左扉１９、右扉２０以外の構成部品はすべて接合されて立体構造を構成している。
【０００９】  図２は、この考案の一実施形態の仏壇の外観斜視図である。工作性がよい強化ダンボールに化粧紙を張り合わせた各構造部品の接合により全体がつくられている。正面入り口を円形として、内側に引き戸式の開閉扉（左扉１９，右扉２０）を設け、底中板（前台付）１２の上の正面に祭壇を設置した構造になっている。外観は黒色、内装は金色の各化粧紙が貼られており落着いた外観を維持しながらインテリア性にも考慮したデザインとなっている。
【００１０】  図３は同実施形態の仏壇の正面扉が閉められた状態の外観正面図である。利用時に前に倒して出された底中板（前台付）１２の前台を内側の上部方向に折り曲げて格納してから、左右の引き戸式の開閉扉（左扉１９，右扉２０）を閉めることができる。
【実施形態の効果】
【００１１】  以上説明したこの考案の仏壇は、比較的短時間で製作することができ、量産化も容易で、製作コストも安価な簡易仏壇である。特に、当該実施形態の仏壇（巾５３０×奥行２５０×高さ３５０）で総重量０．５〜０．６Ｋｇという軽量化に著しい効果があった。また任意のデザインに対応することが容易であり、インテリア性に優れる仏壇が製作できる。照明用のＬＥＤライト及びその配線以外はすべて紙材でできており、廃棄処理する場合においても有利である。
【産業上の利用の可能性】
【００１２】  インテリア性に優れたデザインの基本仏壇モデルを数点製作して、予め準備された色の特殊な化粧紙の中から任意の化粧紙を選択することにより、希望のカラーリングの仏壇を製作することも比較的容易である。基本構造材である工作性の良い強化ダンボールに準備された色の化粧紙をラミネートする。図４は実施形態を示す構造材の断面図である。強化ダンボール１に接着剤２を塗布して任意の化粧紙３をラミネートした構造になっている。つぎに指定した型式の仏壇の構成部品をＣＡＤ制御のカッターで切り出し、構成部品を作成できる。それを接合して組み立て目的の仏壇に仕上げることにより、顧客が選択した希望の仏壇を作成、提供することが可能である。
【符号の説明】
【００１３】  １      強化ダンボール
２      接着材
３      化粧紙
１１    底板
１２    底中板
１３    裏板
１４    前板
１５    天板
１６    外左板
１７    外右板
１８    扉押さえ
１９    左扉
２０    右扉
２１    祭壇前板
２２    祭壇
２３    祭壇右板
２４    祭壇左板
２５    左扉つまみ
２６    右扉つまみ
【図１】
0003211030.tif 000003
【図２】
0003211030.tif 000004
【図３】
0003211030.tif 000005
【図４】
0003211030.tif 000006